(57)【要約】【課題】扉の外観の意匠性を損なうことなく、指を挟んだ際の指の損傷を抑制することが可能な指詰め防止部材を提供する。【解決手段】扉体の戸尻側の側部に沿って設けられた切り欠き凹部を覆う指詰め防止部材であって、横断面視で一端側に開口し、開口が切り欠き凹部にはめ込まれて切り欠き凹部を覆う略矩形の中空状をなす可撓性の本体部と、本体部の外表面を覆う扉体の外表面と同一または略同一の意匠が施された表面材と、本体部の開口側の内面に一面が接着され他面が扉体に貼り付けられる接着層と、からなる。【選択図】図３
2018123582.tif 000002
【特許請求の範囲】
【請求項１】
扉体の戸尻側の側部に沿って設けられた切り欠き凹部を覆う指詰め防止部材であって、
横断面視で一端側に開口し、前記開口が前記切り欠き凹部にはめ込まれて前記切り欠き凹部を覆う略矩形の中空状をなす可撓性の本体部と、
前記本体部の外表面を覆う前記扉体の外表面と同一または略同一の意匠が施された表面材と、
前記本体部の開口側の内面に一面が接着され他面が前記扉体に貼り付けられる接着層と、からなる、
ことを特徴とする指詰め防止部材。
【請求項２】
扉体の戸尻側の側部に沿って設けられた切り欠き凹部を覆う指詰め防止部材であって、
横断面視で一端側に開口部が設けられ、前記切り欠き凹部に取り付けられて前記切り欠き凹部を埋める略矩形の中空部を有する可撓性の本体部と、
前記本体部の外表面を覆う前記扉体の外表面と同一または略同一の意匠が施された表面材と、
前記中空部の前記開口部と相対する他端側の外側面に一面が接着され他面が前記扉体に貼り付けられる接着層と、
前記外側面を前記切り欠き凹部に押圧しながら前記本体部を前記切り欠き凹部に固定する固定部材と、
からなる、
ことを特徴とする指詰め防止部材。
【請求項３】
前記本体部は、ＪＩＳ  Ｋ７２１５に準じた測定によるデュロメータ硬度Ａが８０以下の軟質エラストマー樹脂によって形成されている、
ことを特徴とする請求項１又は２に記載の指詰め防止部材。
【請求項４】
前記本体部は、前記内面の前記扉体に前記接着層を介して貼り付けられた基端部側に前記本体部の他の部分よりも低剛性とされた薄肉凹部を有する、
ことを特徴とする請求項１に記載の指詰め防止部材。
【請求項５】
前記接着層は、不織布を基材として前記基材の両面に合成ゴム系粘着剤が塗布されている両面テープであり、前記他面が前記扉体に貼り付けられて前記表面材と前記扉体が実質的に段差なく連続的な外表面を形成するように前記切り欠き凹部を覆う、
ことを特徴とする請求項１又は２に記載の指詰め防止部材。
【請求項６】
前記表面材は、前記扉体の外表面と同一または略同一の着色が施され、前記本体部と一体として形成されている、
ことを特徴とする請求項１又は２に記載の指詰め防止部材。
【発明の詳細な説明】
【技術分野】
【０００１】
本発明は、開閉可能に設けられた扉体の指詰め防止部材に関する。
【背景技術】
【０００２】
長方形面を有する本体の両側面の少なくとも一方の側面に切り欠きを形成し、当該切り欠きに中空状の弾性体を付設した指挟み安全機能を有する開き戸タイプのドア装置が知られている（特許文献１）。
【０００３】
ドアパネルとドア枠とをヒンジにて枢結し、ドアパネルの戸当たり部側のヒンジとヒンジの間に指詰め防止用凹部を設け、指詰め防止用凹部に、容易に変形可能な軟質弾性体を付設した指詰め防止機構付きドアも知られている（特許文献２）。
【先行技術文献】
【特許文献】
【０００４】
【特許文献１】特開２００７−６３７７６号公報
【特許文献２】特開２０００−１４５２７５号公報
【発明の概要】
【発明が解決しようとする課題】
【０００５】
本発明は、扉の外観の意匠性を損なうことなく容易に取り付けることができ、指を挟んだ際の指の損傷を抑制することが可能な指詰め防止部材を提供することを目的とする。
【課題を解決するための手段】
【０００６】
前記課題を解決するために、請求項１記載の指詰め防止部材は、
扉体の戸尻側の側部に沿って設けられた切り欠き凹部を覆う指詰め防止部材であって、
横断面視で一端側に開口し、前記開口が前記切り欠き凹部にはめ込まれて前記切り欠き凹部を覆う略矩形の中空状をなす可撓性の本体部と、
前記本体部の外表面を覆う前記扉体の外表面と同一または略同一の意匠が施された表面材と、
前記本体部の開口側の内面に一面が接着され他面が前記扉体に貼り付けられる接着層と、からなる、
ことを特徴とする。
【０００７】
前記課題を解決するために、請求項２記載の指詰め防止部材は、
扉体の戸尻側の側部に沿って設けられた切り欠き凹部を覆う指詰め防止部材であって、
横断面視で一端側に開口部が設けられ、前記切り欠き凹部に取り付けられて前記切り欠き凹部を埋める略矩形の中空部を有する可撓性の本体部と、
前記本体部の外表面を覆う前記扉体の外表面と同一または略同一の意匠が施された表面材と、
前記中空部の前記開口部と相対する他端側の外側面に一面が接着され他面が前記扉体に貼り付けられる接着層と、
前記外側面を前記切り欠き凹部に押圧しながら前記本体部を前記切り欠き凹部に固定する固定部材と、
からなる、
ことを特徴とする。
【０００８】
請求項３記載の発明は、請求項１又は２に記載の指詰め防止部材において、
前記本体部は、ＪＩＳ  Ｋ７２１５に準じた測定によるデュロメータ硬度Ａが８０以下の軟質エラストマー樹脂によって形成されている、
ことを特徴とする。
【０００９】
請求項４記載の発明は、請求項１に記載の指詰め防止部材において、
前記本体部は、前記内面の前記扉体に前記接着層を介して貼り付けられた基端部側に前記本体部の他の部分よりも低剛性とされた薄肉凹部を有する、
ことを特徴とする。
【００１０】
請求項５記載の発明は、請求項１又は２に記載の指詰め防止部材において、
前記接着層は、不織布を基材として前記基材の両面に合成ゴム系粘着剤が塗布されている両面テープであり、前記他面が前記扉体に貼り付けられて前記表面材と前記扉体が実質的に段差なく連続的な外表面を形成するように前記切り欠き凹部を覆う、
ことを特徴とする。
【００１１】
請求項６記載の発明は、請求項１又は２に記載の指詰め防止部材において、
前記表面材は、前記扉体の外表面と同一または略同一の着色が施され、前記本体部と一体として形成されている、
ことを特徴とする。
【発明の効果】
【００１２】
請求項１に記載の発明によれば、可撓性の本体部と本体部の外表面を覆う表面材を有しない構成に比して、扉の外観の意匠性を損なうことなく、指を挟んだ際の指の損傷を抑制することが可能となる。
【００１３】
請求項２に記載の発明によれば、本体部の一端側に開口部を有しない構成に比して、扉の外観の意匠性を損なうことなく容易に取り付けることができ、指を挟んだ際の指の損傷を抑制することができる。
【００１４】
請求項３に記載の発明によれば、本体部を可撓性にすることができる。
【００１５】
請求項４に記載の発明によれば、指を挟んだ際に本体部の変形を容易にし、接着層が剥がれる力を低減することができる。
【００１６】
請求項５に記載の発明によれば、扉体の外観の意匠性の低下を抑制することができる。
【００１７】
請求項６に記載の発明によれば、低コストで扉体の外観の意匠性の低下を抑制することができる。
【図面の簡単な説明】
【００１８】
【図１】第１実施形態に係る指詰め防止部材が取り付けられた開き戸タイプの扉装置を示す正面図である。
【図２】（ａ）は指詰め防止部材が取り付けられる扉体への指詰め防止部材の取り付けを示す平面図、（ｂ）は正面図である。
【図３】（ａ）は指詰め防止部材の横断面模式図、（ｂ）は指詰め防止部材が取り付けられた扉体を示す横断面模式図である。
【図４】（ａ）は扉体が開放された状態を示す扉装置の横断面模式図、（ｂ）は扉体を閉鎖するときに指が挟まれた状態を示す扉装置の横断面模式図である。
【図５】（ａ）は変形例に係る指詰め防止部材の横断面模式図、（ｂ）は変形例に係る指詰め防止部材が取り付けられた扉体を示す横断面模式図である。
【図６】変形例に係る指詰め防止部材が取り付けられた扉体を閉鎖するときに指が挟まれた状態を示す扉装置の横断面模式図である。
【図７】（ａ）は第２実施形態に係る指詰め防止部材が取り付けられる扉体への指詰め防止部材の取り付けを示す平面図、（ｂ）は正面図である。
【図８】（ａ）は第２実施形態に係る指詰め防止部材の横断面模式図、（ｂ）は第２実施形態に係る指詰め防止部材が取り付けられた扉体を示す横断面模式図である。
【図９】（ａ）は指詰め防止部材が取り付けられた引戸を示す横断面模式図、（ｂ）は指詰め防止部材が取り付けられた折り戸を示す横断面模式図である。
【図１０】（ａ）は第１実施形態に係る指詰め防止部材の着色を説明する図、（ｂ）は第２実施形態に係る指詰め防止部材の着色を説明する図である。
【発明を実施するための形態】
【００１９】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２０】
（１）指詰め防止部材の構成
「第１実施形態」
図１は本実施形態に係る指詰め防止部材１０が取り付けられた開き戸タイプの扉装置１００を示す正面図、図２（ａ）は指詰め防止部材１０が取り付けられる扉体１２０への指詰め防止部材１０の取り付けを示す平面図、（ｂ）は正面図、図３（ａ）は指詰め防止部材１０の横断面模式図、（ｂ）は指詰め防止部材が取り付けられた扉体１２０を示す横断面模式図である。
以下、図面を参照しながら指詰め防止部材１０が取り付けられた扉装置１００及び指詰め防止部材１０について説明する。
【００２１】
（１．１）扉装置の全体構成
図１に示すように、扉装置１００は、躯体開口部を形成する枠体１１０と、躯体開口部を開閉するように枠体１１０に設けられた扉体１２０、とからなる。
枠体１１０は、上枠１１１、下枠１１３、戸先側縦枠１１４、戸尻側縦枠１１５、からなり、扉体１２０は、戸尻側縦枠１１５に対してヒンジ１１６を介して開閉自在に支持されている。扉体１２０の室外側面１２１及び室内側面１２２（不図示）には、戸先側寄りで、扉体１２０の高さ方向における略中央に取手１２３が設けられる。
扉体１２０の室外側面１２１及び室内側面１２２（図２（ａ）参照）は、意匠を施した加飾シート材１２５が貼着されている。尚、加飾シート材１２５に代えて、表面に塗装１２６（図１０  参照）がされていてもよい。
【００２２】
扉体１２０の戸尻側には、図２に示すように、ヒンジ１１６の位置する箇所を除いた上下方向の全長に亘って切り欠き凹部１２４が形成され、切り欠き凹部１２４には扉体１２０の戸尻側から指詰め防止部材１０が嵌め込まれて（図中  矢印参照）接着固定される。指詰め防止部材１０は、外表面が扉体１２０の室外側面１２１及び室内側面１２２に施された意匠と同一または略同一の意匠が施された表面材１２で構成され、切り欠き凹部１２４は扉体１２０と連続的な外表面をなしている（図３（ｂ）参照）。
【００２３】
（１．２）指詰め防止部材
指詰め防止部材１０は、図３に示すように、本体部１１と、表面材１２と、接着層１３により構成されている。
指詰め防止部材１０は、扉体１２０の切り欠き凹部１２４を覆って、扉体１２０が閉鎖された際に、枠体１１０と扉体１２０の戸尻側部の間に指等が挟まれたときに指にかかる衝撃を緩和して挟まれた指の怪我を防止する。
【００２４】
（１．２．１）本体部
本体部１１は、図３（ａ）に示すように、横断面視で一端側に開口した略矩形の中空状弾性体で、軟質エラストマー樹脂を材料として押出成形することによって形成されている。
【００２５】
軟質エラストマー樹脂としては、ＪＩＳ  Ｋ７２１５に準じた測定によるデュロメータ硬度Ａが８０以下の可撓性を有するポリエステル系、ポリスチレン系、ポリオレフィン系、ＰＶＣ系、ポリウレタン系のエラストマーが挙げられる。
デュロメータ硬度Ａが８０を超えると、弾性が不足し、指が指詰め防止部材１０と戸尻側縦枠１１５の間に挟まれた場合に、本体部１１が弾性変形しにくく指に掛かる衝撃を充分緩和することができなくなる虞がある。
【００２６】
本体部１１は、デュロメータ硬度Ａが８０以下の可撓性を有しているために、扉体１２０が開放された状態で、扉体１２０の戸尻側部と戸尻側縦枠１１５との間に指を入れ、そのまま扉体１２０を閉止すると、図４（ｂ）に示すように指が指詰め防止部材１０と戸尻側縦枠１１５の間に挟まれるが、本体部１１が弾性変形して指に掛かる衝撃を緩和する。
【００２７】
（１．２．２）表面材
表面材１２は、扉体１２０の室外側面１２１及び室内側面１２２に施された意匠と同一または略同一の意匠が施された加飾シートであり、本体部１１の外表面を覆うように本体部１１に貼着されている。
加飾シートとしては、その表面に木目模様などの加飾印刷が施された樹脂フィルムの下面に、軟質エラストマーで形成された本体部１１との密着性を大きくするためにバインダー層を設け、本体部１１にラッピングして一体化している。
【００２８】
（１．２．３）接着層
接着層１３は、本体部１１を扉体１２０の凹部１２４の段差部１２４ａに固定する接着剤であり、不織布を基材として基材の両面に合成ゴム系粘着剤が塗布されている両面テープが好ましい。
両面テープとしては、大日本インキ化学社製８８４０ＥＲ、アクリル変性シリコン系樹脂からなる液状接着剤であるセメダイン社製スーパーＸ  Ｎｏ．８００８、スーパーゴールド  Ｎｏ．７７７が挙げられる。接着層１３に、不織布を基材とした両面テープを用いることで、扉体１２０の室外側面１２１及び室内側面１２２と表面材１２との段差を少なくして扉体１２０の外観の意匠性の低下を抑制するとともに、剥離強度が増加して、指詰め防止部材１０に外力が作用した際に指詰め防止部材１０の扉体１２０からの剥離を抑制することができる。
尚、接着層１３の代わりに、扉体１２０の凹部１２４の段差部１２４ａに接着剤を直接塗布して指詰め防止部材１０を接着固定してもよい。
【００２９】
（２）指詰め防止部材の製造方法
本体部１１は、熱可塑性エラストマー樹脂を、直接、押出成形機に投入して、押出成形機に設けられた金型ダイスを介して押出成形される中空状弾性体の外表面に、押出しと同期しながら表面材１２を接着剤で接着して、表面材１２に覆われた連続的な本体部１１を得る。
尚、表面材１２は、本体部１１を扉体１２０の切り欠き凹部１２４の段差部１２４ａに接着固定した後、扉体１２０の室外側面１２１及び室内側面１２２と合わせるように貼り付けてもよい。
【００３０】
押出し加工による成形方法としては特に限定されないが、一例としては、以下のようにして作成することができる。
まず、熱可塑性エラストマー樹脂を押出し機で、例えば１８０°Ｃないし２３０°Ｃで加熱混練して溶融し、ろ過フィルタを通した後、１８０°Ｃないし２３０°Ｃに加熱された金型ダイス吐出口より溶融押出しし、冷却固化させ本体部１１を得る。
【００３１】
そして、接着層１３を介して貼付される扉体１２０の切り欠き凹部１２４の長さに応じて（図２中  Ｌ１、Ｌ２参照）必要な長さ（図２中  Ｌ１、Ｌ２参照）に定長裁断して、外表面が表面材１２に覆われた本体部１１を得る。
【００３２】
定長裁断された本体部１１は、開口側の内面の所定位置に接着層１３が形成されて指詰め防止部材１０となり、扉体１２０の切り欠き凹部１２４の段差部１２４ａに接着固定される。
指詰め防止部材１０が切り欠き凹部１２４を覆うように接着固定された扉体１２０は、表面材１２の表面１２ａが扉体１２０の室外側面１２１及び室内側面１２２と実質的に段差がない連続的な外表面を形成して、指詰め防止部材１０で切り欠き凹部１２４を覆った扉体１２０の外観の意匠性の低下が抑制される。
【００３３】
（３）指詰め防止部材の作用
図４（ａ）は扉体１２０が開放された状態を示す扉装置１００の横断面模式図、（ｂ）は扉体１２０を閉鎖するときに指が挟まれた状態を示す扉装置１００の横断面模式図である。
人が扉体１２０を開けて扉装置１００を通過する際には、図４（ａ）に示すように、扉体１２０の戸尻側部と戸尻側縦枠１１５との間に大きな隙間Ｇ１が発生する。
この開放時に人が大きな隙間Ｇ１に指を入れて、そのまま扉体１２０を閉鎖する（図４（ａ）中  矢印Ｒ１参照）と、扉体１２０の戸尻側部と戸尻側縦枠１１５とで指を挟まれて、怪我をする虞があった。
【００３４】
本実施形態に係る指詰め防止部材１０を供えた扉装置１００においては、扉体１２０の戸尻側部には、ヒンジ１１６を除いて切り欠き凹部１２４が形成されて、扉体１２０が閉鎖された状態でも、扉体１２０の戸尻側部と戸尻側縦枠１１５の間には、切り欠き凹部１２４の切り欠き高さＨ（図２  参照）に相当する隙間Ｇ２を有している。
【００３５】
隙間Ｇ２は、指詰め防止部材１０で覆われて扉体１２０の外部から不可視となっているが、指詰め防止部材１０は、本体部１１が横断面視で扉体１２０の切り欠き凹部１２４側に開口した略矩形の中空状弾性体であり、扉体１２０の戸尻側部と戸尻側縦枠１１５との間には中空空間Ｒが形成されている。そのために、図４（ｂ）に示すように、扉体１２０が閉鎖された際には、軟質エラストマー樹脂で形成された弾性体としての本体部１１が、中空空間Ｒ側へ弾性変形して（図４（ｂ）中  矢印Ｒ２参照）指に掛かる衝撃を緩和することができる。
【００３６】
「変形例」
図５（ａ）は変形例に係る指詰め防止部材１０Ａの横断面模式図、（ｂ）は変形例に係る指詰め防止部材１０Ａが取り付けられた扉体１２０を示す横断面模式図、図６は変形例に係る指詰め防止部材１０Ａが取り付けられた扉体１２０を閉鎖するときに指が挟まれた状態を示す扉装置１００Ａの横断面模式図である。
変形例に係る指詰め防止部材１０Ａは、本体部１１Ａが、内面の扉体１２０に接着層１３を介して貼り付けられる基端部側に本体部１１Ａの他の部分よりも低剛性とされた低剛性部を有している。
【００３７】
具体的には、図５（ａ）に示すように、低剛性部は本体部１１Ａの内面に薄肉凹部１１Ａａとして本体部１１Ａの長さ方向に亘って形成されている。そのために、図５（ｂ）に示すように、本体部１１Ａは、薄肉凹部１１Ａａを起点に長さ方向と交差する方向に変形しやすく、指詰め防止部材１０Ａが外力Ｆを受けた際に、本体部１１Ａが薄肉凹部１１Ａａを起点として中空空間Ｒ側へ容易に変形して、扉体１２０との接着部に作用する剥離力Ｆ１を抑制（Ｆ＞Ｆ１）することができる。
【００３８】
その結果、図６に示すように、扉体１２０が閉鎖された際には、本体部１１Ａが、中空空間Ｒ側へ容易に弾性変形して指に掛かる衝撃を緩和するとともに、接着層１３にかかる剥離力Ｆ１を抑制して扉体１２０からの剥離を抑制することができる。
【００３９】
「第２実施形態」
図７（ａ）は本実施形態に係る指詰め防止部材１０Ｂが取り付けられる扉体１２０Ｂへの指詰め防止部材１０Ｂの取り付けを示す平面図、（ｂ）は正面図、図８（ａ）は指詰め防止部材１０Ｂの横断面模式図、（ｂ）は指詰め防止部材１０Ｂが取り付けられた扉体１２０Ｂを示す横断面模式図である。
以下、図面を参照しながら本実施形態に係る指詰め防止部材１０Ｂについて説明するが、第１実施形態に係る防止部材１０、１０Ａと同一の構成要素には同一の符号を付してその詳細な説明は省略する。
【００４０】
扉体１２０Ｂの戸尻側には、図７に示すように、ヒンジ１１６の位置する箇所を除いた上下方向の全長に亘って切り欠き凹部１２４Ｂが形成され、切り欠き凹部１２４Ｂには扉体１２０Ｂの戸尻側から指詰め防止部材１０Ｂが取り付けられて（図中  矢印参照）両面テープで仮固定された状態で固定部材の一例としてのビスでネジ固定される。
指詰め防止部材１０Ｂは、外表面が扉体１２０Ｂの室外側面１２１及び室内側面１２２に施された意匠と同一または略同一の意匠が施された表面材１２で構成され、切り欠き凹部１２４Ｂは扉体１２０Ｂと連続的な外表面をなしている（図８（ｂ）参照）。
【００４１】
指詰め防止部材１０Ｂは、図８に示すように、本体部１１Ｂと、表面材１２と、接着層１３Ｂにより構成されている。
本体部１１Ｂは、図８（ａ）に示すように、横断面視で一端側に開口部１１Ｂａが設けられた略矩形の中空部Ｓを有する可撓性の弾性体で、軟質エラストマー樹脂を材料として押出成形することによって形成されている。本体部１１Ｂの外表面には、扉体１２０Ｂの外表面と同一または略同一の意匠が施された表面材１２が貼着されている。
【００４２】
中空部Ｓの開口部１１Ｂａと相対する他端側の外側面１１Ｂｂには接着層１３Ｂが形成されている。接着層１３Ｂは、本体部１１Ｂを扉体１２０Ｂの切り欠き凹部１２４Ｂの底部１２４Ｂａに仮固定する両面テープである。
【００４３】
このように構成される指詰め防止部材１０Ｂは、図８（ｂ）に示すように、開口部１１Ｂａ側から外側面１１Ｂｂを扉体１２０Ｂの凹部１２４Ｂの底部１２４Ｂａに押圧して（図８（ｂ）  矢印参照）仮固定した状態で、中空部Ｓの内側面１１Ｂｃから固定部材１４で固定される。
【００４４】
本実施形態に係る指詰め防止部材１０Ｂは、本体部１１Ｂの一端側に開口部１１Ｂａが設けられて、開口部１１Ｂａと相対する他端側の外側面１１Ｂｂを扉体１２０Ｂの凹部１２４Ｂの底部１２４Ｂａに仮固定した状態で、開口部１１Ｂａを通して（図８（ｂ）中  矢印参照）中空部Ｓの内側面１１Ｂｃから固定部材１４でネジ固定することができ、扉体１２０Ｂの切り欠き凹部１２４Ｂに容易に取り付けることができる。
【００４５】
以上、指詰め防止部材１０、１０Ａ、１０Ｂとして、枠体１１０に開閉可能に設けられた開き戸である扉体１２０、１２０Ｂに切り欠き凹部１２４、１２４Ｂを形成して固定する実施例について説明したが、扉体としては、引戸や折り戸であっても本実施形態に係る指詰め防止部材１０、１０Ａ、１０Ｂを適用することができる。
【００４６】
一例として、図９（ａ）に示すように、引戸１２０Ｃの戸先側に切り欠き凹部１２４を設けて指詰め防止部材１０を接着固定することで、引戸１２０Ｃが閉じられ、指を引戸１２０Ｃの戸先間に挟んだ場合にも、指詰め防止部材１０が弾性変形して指に掛かる衝撃を緩和することができる。
また、図９（ｂ）に示すように、折り戸１２０Ｄの戸尻側に切り欠き凹部１２４を設けて指詰め防止部材１０を接着固定することで、折り戸１２０Ｄが閉じられ、指を折り戸１２０Ｄの戸尻間に挟んだ場合にも、指詰め防止部材１０が弾性変形して指に掛かる衝撃を緩和することができる。
【００４７】
また、指詰め防止部材１０、１０Ａ、１０Ｂが、扉体１２０の室外側面１２１及び室内側面１２２に施された意匠と同一または略同一の意匠が施された加飾シートである表面材１２を有する態様について説明したが、扉体１２０の室外側面１２１及び室内側面１２２が模様等を有せず、一色で塗装されている場合には、図１０（ａ）、（ｂ）に示すように、本体部１１、１１Ａ、１１Ｂを室外側面１２１及び室内側面１２２と同系色の色に調色された熱可塑性エラストマー樹脂を用いて押出し成形することで、扉体１２０、１２０Ｂと実質的に同色の外表面を有する指詰め防止部材とすることができる。
【符号の説明】
【００４８】
１０、１０Ａ、１０Ｂ・・・指詰め防止部材
１１、１１Ａ、１１Ｂ・・・本体部
１１Ａａ・・・薄肉凹部
１２・・・表面材
１３、１３Ｂ・・・接着層
１００、１００Ａ・・・扉装置
１１０・・・枠体
１２０、１２０Ｂ・・・扉体
１２０Ｃ・・・引戸
１２０Ｄ・・・折り戸
１２４、１２４Ｂ・・・切り欠き凹部
【図１】
2018123582.tif 000003
【図２】
2018123582.tif 000004
【図３】
2018123582.tif 000005
【図４】
2018123582.tif 000006
【図５】
2018123582.tif 000007
【図６】
2018123582.tif 000008
【図７】
2018123582.tif 000009
【図８】
2018123582.tif 000010
【図９】
2018123582.tif 000011
【図１０】
2018123582.tif 000012